(57)【要約】  ケース体１０内において揺動支点を中心に揺動可能に配設された台座部２１を設け、この台座部２１に光ディスク１を回転可能に軸支するターンテーブル２３を設ける。ケース体１０は台座部２１と対向する天板部材１２を有し、この天板部材１２は、ターンテーブル２３と対向する部分において台座部２１が天板部材１２側に向けて揺動されて光ディスク１が当接する際に光ディスク１を略均等な力で受けるチャック用当接部１６Ａを有する。そのため、揺動した台座部２１に設けられたターンテーブル２３が天板部材１２との間で光ディスク１をチャックする際に、光ディスク１の軸孔１Ａの周縁部をチャック用当接部１６Ａが均等な力で受けることになる。【特許請求の範囲】
【請求項１】
ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、
前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を略均等な力で受けるチャック用当接部を有することを特徴としたディスク装置。
【請求項２】
請求項１に記載のディスク装置であって、
前記チャック用当接部は、前記天板部材の前記台座部側に向けて突出された突起部であることを特徴としたディスク装置。
【請求項３】
請求項２に記載されたディスク装置であって、
前記台座部は、前記揺動支点がある基端部側より先端部側が前記天板部材に近接するように前記天板部材側に向けて揺動可能とされ、前記突起部は前記基端部側から前記先端部側にかけて前記天板部材からの寸法が小さくなるテーパ面が形成されていることを特徴としたディスク装置。
【請求項４】
ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、この台座部は、前記揺動支点がある基端部側より先端部側が前記天板部材に近接するように前記天板部材側に向けて揺動可能とされ、
前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を受ける突起部を有し、この突起部は前記基端部側から前記先端部側にかけて前記天板部材からの寸法が小さくなるテーパ面が形成されていることを特徴としたディスク装置。
【請求項５】
請求項２から請求項４のいずれかに記載のディスク装置であって、
前記突起部には前記軸支部の先端部が嵌挿される孔部が形成されていることを特徴としたディスク装置。
【請求項６】
請求項５に記載のディスク装置であって、
前記突起部は前記孔部を囲んで略リング状に形成されていることを特徴としたディスク装置。
【請求項７】
請求項５に記載のディスク装置であって、
前記突起部は、前記孔部の近傍であって前記台座部の先端部側に形成されていることを特徴としたディスク装置。
【請求項８】
請求項２に記載のディスク装置であって、
前記突起部は、略三角形状であって、その頂部が前記ディスク状記録媒体と当接可能とされたことを特徴としたディスク装置。
【請求項９】
請求項２から請求項８のいずれかに記載されたディスク装置であって、
前記突起部は前記天板部材に一体に形成されたことを特徴としたディスク装置。
【発明の詳細な説明】
【技術分野】
【０００１】
本発明は、ディスク状記録媒体が出し入れされる開口部がケース体に形成され、このケース体内において揺動支点を中心に揺動自在に台座部が配設され、この台座部にディスク状記録媒体を回転可能に軸支する軸支部が設けられたディスク装置に関する。
【背景技術】
【０００２】
従来、この種のディスク装置として、ディスク状記録媒体が利用者により所定位置まで挿入されると、自動的にディスク状記録媒体を所定の処理位置まで搬送する、いわゆるスロットインタイプのディスク装置が知られている。
このスロットインタイプのディスク装置は、利用者によりディスク状記録媒体の挿入を常時可能とするため、情報処理時にディスク状記録媒体を回転させるために軸支する軸支部が、情報処理時の位置から後退して、挿入されるディスク状記録媒体が軸支部に接触しない構成が採られている。そして、挿入されて所定の位置まで搬入された時点で、軸支部が情報処理時の位置に移動させてディスク状記録媒体を軸支する。【０００３】
このスロットインタイプのディスク装置として、例えば、図１Ａ，図１Ｂに示されるような構成が知られている。この図１Ａ，図１Ｂに示される従来のディスク装置は、ディスク状記録媒体として、例えば光ディスク１が挿入されるスリット状の開口部１００Ａが形成されたケース体１００を備えている。このケース体１００内には、基端部側を揺動支点として揺動可能とした台座部１０１が配設されている。
この台座部１０１には、その先端部側に配設された図示しないスピンドルモータと、光ディスク１を着脱可能に軸支しスピンドルモータの駆動にて回転する軸支部１０２と、光ディスク１に記録された情報を読み取る読取処理や情報を記録する記録処理などを実施する図示しないピックアップと、このピックアップを光ディスク１の径方向で移動させる図示しない処理移動手段と、が配設されている。
軸支部１０２は、光ディスク１を係止するための複数の爪１０２Ａが短寸円柱状の本体１０２Ｂの周面から出没自在に設けられたターンテーブルである。【０００４】
そして、台座部１０１は、図１Ａに示される通り、光ディスク１が開口部１００Ａから挿入される際には、ケース体１００の天板１００Ｂと最も離れた位置で待機している。光ディスク１が開口部１００Ａからケース体１００の内部において天板１００Ｂと略平行であって所定の位置に収納された際には、天板１００Ｂに向けて揺動し、光ディスク１と略平行となった状態で光ディスク１の軸孔１Ａに軸支部１０２が挿入される。さらに、図１Ｂに示される通り、台座部１０１が揺動し続けて先端部が上方となるまで傾くと、天板１００Ｂと軸支部１０２とで光ディスク１をチャックする。なお、図１Ａ，図１Ｂにおいては、内容をわかりやすくするため、台座部１０１の基端部から先端部へ向かう長さ方向と、光ディスク１の挿入方向とを一致させて図示しているが、実際は、これらの方向は異なる。
【発明の開示】
【発明が解決しようとする課題】
【０００５】
このタイプのディスク装置では、天板１００Ｂと軸支部１０２とで光ディスク１をチャックする際に、天板１００Ｂの反力を利用しているが、従来では、天板１００Ｂに光ディスク１が当接している状態では、天板１００Ｂに対して軸支部１０２の先端面及び光ディスク１が傾いているため、台座部１０１で揺動される軸支部１０２の力を光ディスク１に確実に伝達することができず、天板１００Ｂの反力を十分に利用できないという問題点が一例として挙げられる。そのため、光ディスク１が軸支部１０２に確実に軸支されないで、光ディスク１が空回りする虞れも生じる。【０００６】
本発明は、上述したような実情などに鑑みて、天板部材の反力を十分に利用してディスク状記録媒体を軸支部に確実に軸支させることができるディスク装置を提供することを目的とする。
【課題を解決するための手段】
【０００７】
本発明のディスク装置は、ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を略均等な力で受けるチャック用当接部を有することを特徴とする。【０００８】
本発明のディスク装置は、ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、この台座部は、前記揺動支点がある基端部側より先端部側が前記天板部材に近接するように前記天板部材側に向けて揺動可能とされ、前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を受ける突起部を有し、この突起部は前記基端部側から前記先端部側にかけて前記天板部材からの寸法が小さくなるテーパ面が形成されていることを特徴とする。
【図面の簡単な説明】
【０００９】
【図１Ａ】従来技術に係るディスク装置の待機状態を示す断面図である。
【図１Ｂ】従来技術に係るディスク装置のチャック状態を示す断面図である。
【図２】本発明の一実施形態に係るディスク装置の概略構成を示す一部を切り欠いた平面図である。
【図３】天板部材を裏面側から見た底面図である。
【図４Ａ】図３のＡ−Ａ線断面図である。
【図４Ｂ】図３のＢ−Ｂ線断面図である。
【図５】本発明の変形例を示す断面図である。
【図６】本発明の異なる変形例を示す断面図である。
【符号の説明】
【００１０】
１…光ディスク（ディスク状記録媒体）
１Ａ…軸孔
１０…ケース体
１２…天板部材
１６…突起部
１６Ａ…チャック用当接部
１６Ｃ…テーパ面
２１…台座部
２３…ターンテーブル（軸支部）
１１６…チャック用当接部
２１６…チャック用当接部
【発明を実施するための最良の形態】
【００１１】
以下、本発明の一実施形態を図面に基づいて説明する。
本実施形態では、ディスク状記録媒体として、情報の読み出しあるいは記録のみでもよい。さらに、ディスク状記録媒体としては、光ディスクに限らず、磁気ディスク、光磁気ディスクなどのいずれのディスク状記録媒体を対象とすることができる。また、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよく、薄型の構成に限られない。【００１２】
（ディスク装置の構成）
図２及び図３において、本実施形態のディスク装置は、例えば携帯型のパーソナルコンピュータ等の電気機器に装着されるいわゆる薄型のスロットインタイプである。このディスク装置は、着脱可能に装着されるディスク状記録媒体としての円板状の光ディスク１における少なくとも一面に設けられた図示しない記録面に記録された情報を読み出す情報処理である読取処理や記録面へ各種情報を記録する情報処理である記録処理をする。
ディスク装置は、例えば金属製で内部空間を有する略箱形状のケース体１０を備えて構成されている。
このケース体１０は、その底部に配置されるケース本体１１と、その頂部に配置される略板状の天板部材１２と、これらのケース本体１１及び天板部材１２との間に形成された一側面矩形状の開放部に設けられた化粧板１３と、を備えている。
ケース本体１１及び天板部材１２は、それぞれ、例えば、板金、合成樹脂等の適宜な材料で一体に形成されている。
化粧板１３は、例えば合成樹脂にて細長板状に形成されており、その中心部分に長手方向に沿ってスリット状に設けられた開口部（図示せず）が形成されている。この開口部から光ディスク１が出し入れ自在とされる。【００１３】
ケース体１０内には、いわゆるトラバースメカと称されるディスク処理部２０と、光ディスク１を搬送する搬送手段３０と、図示しない制御回路部とが設けられている。
ディスク処理部２０は、例えば金属板にて平面視で扁平八角形状に形成された略板状の台座部２１を有している。
この台座部２１には、周縁近傍である長手方向の一端側に位置して、ディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に制御可能に接続され、制御回路部から供給される電力により駆動する。
ターンテーブル２３は、光ディスク１の中心に開口形成された軸孔１Ａに嵌挿して軸支する略円柱状の回転軸２３Ａと、この回転軸２３Ａの外周面にフランジ状に突設され光ディスク１の軸孔１Ａの周縁が載置されて支持する鍔部２３Ｂとを備えた軸支部である。回転軸２３Ａには、その外周部分に光ディスク１の軸孔１Ａを係止するための爪部２３Ａ１が出没自在に設けられている。そして、ターンテーブル２３は、スピンドルモータにより、軸支する光ディスク１とともに回転する。【００１４】
台座部２１には情報処理部２４が配設されている。この情報処理部２４は、図示しない一対のガイドシャフト間に架橋する状態に支持されているとともに、図示しない移動機構で情報処理部２４をターンテーブル２３に対して近接離隔させる。
情報処理部２４は、図示しない光源と、この光源からの光を収束するレンズ２５Ａと、光ディスク１で反射された出射光を検出する図示しない光センサとを有するピックアップ２５を備えている。
このピックアップ２５は、制御回路部に信号を送受信可能に接続され、制御回路部の制御により、光ディスク１の記録面に記録された各種情報を読み取って出力回路部へ出力する読取処理や、制御回路部からの各種情報を記録面に記録する記録処理を実施する。
台座部２１には、カバー体２１Ａが一体的に取り付けられている。このカバー体２１Ａには、ピックアップ２５の移動経路及びターンテーブル２３の位置に対応して台座部２１の長手方向に沿って長手状の処理開口部が略中央に切欠形成されている。【００１５】
台座部２１は、その他端部、つまり、ディスク回転駆動手段２２が配設された一端側側とは反対側の基端部を揺動支点とし、かつ、ディスク回転駆動手段２２側の一端部を揺動先端としてケース体１０の内部に揺動可能に配置されている。この場合、台座部２１は、その基端部側がケース本体１１の底面部より離れて配置されており、その揺動先端は、光ディスク１が挿入・排出する際の待機時では、ケース本体１１の底面部に近接するように傾斜しており、情報処理部２４の作動時では、ケース本体１１と略平行となり、光ディスク１を天板部材１２との間でクランプ（チャック）する際には、天板部材１２側に近接するように傾斜している（図４Ａ，図４Ｂ参照）。ここで、揺動とは、台座部２１の基端側を回動中心として固定し、先端側のみを移動させる場合だけでなく、台座部２１の基端側も若干移動し、先端側を移動させる場合も含むものである。
台座部２１を揺動する駆動部４０がケース体１０の内部に設けられている。この駆動部４０は、例えば制御回路部に動作制御される図示しないモータと、このモータの駆動により移動する移動カム４１とを備えている。移動カム４１は、台座部２１に外方に向けて突設された係合爪２１Ｂに係合するとともにモータに係合し、モータの駆動により移動されて台座部２１を揺動させる。【００１６】
搬送手段３０は、ケース体１０に配設された、例えば制御回路部に動作制御される図示しない搬送モータと、この搬送モータの駆動により連動するリンク機構部３１と、搬入検出手段としての検知スイッチとを備えている。
リンク機構部３１は、イジェクトアーム３２と、ホールドアーム３３と、ローディングアーム３４とを備え、これらのアームは、例えば金属板などにて細長板状に形成され、それぞれ長手方向の一端部がケース体１０に回動可能に軸支されている。そして、イジェクトアーム３２及びホールドアーム３３は、長手方向の中間部が互いに回動可能に軸支されて連結され、イジェクトアーム３２の回動に伴ってホールドアーム３３が回動する。また、ローディングアーム３４は、一端側がケース体１０の開口部近傍で内方へ回動可能に配設され、他端側が光ディスク１の周縁に当接して光ディスク１を搬入させる。
イジェクトアーム３２及びローディングアーム３４は、それぞれ先端部にディスクローラ３２Ａ，３４Ａが設けられており、光ディスク１の搬入・搬出に際して、光ディスク１の周縁を損傷させないようにしている。【００１７】
ケース体１０の内部には、図示しない検知スイッチが複数配設されている。これらの検知スイッチは、移動カム４１やホールドアーム３３と連動してオン・オフ信号が出力され、このオン・オフ信号は、図示しない制御回路部へ出力される。
制御回路部は、例えば各種電気部品が搭載された回路基板に回路構成として構成され、ディスク装置全体の動作を制御する。また、制御回路部は、搬送手段３０の検知スイッチのオン・オフ信号に基づいて光ディスク１の挿入を検知、すなわち検知スイッチがオフとなったことを認識すると、光ディスク１が挿入されたと判断し、駆動部を動作させてディスク処理部２０を揺動させる制御をする。また、制御回路部は、光ディスク１の排出を要求する例えばイジェクトボタンの操作を認識、あるいは電気機器からの光ディスク１を排出させる指令信号などを認識すると、図示しない移動用電動モータを駆動させて情報処理部２４を台座部２１の回動基端側の端部位置へ移動させる制御をする。さらには、制御回路部は、情報処理部２４の端部位置への移動が完了したことを認識すると、駆動部を動作させてディスク処理部２０を回動させる制御をする。そして、制御回路部は、搬送手段３０の搬送モータを駆動させてリンク機構部を移動させ、光ディスク１を開口部から排出させる制御をする。【００１８】
図３，図４Ａ，図４Ｂにおいて、天板部材１２は、１カ所の隅部が欠損された変形矩形状の平板部１４と、この平板部１４の化粧板１３が配置される１辺を除く他の辺に切り立って形成された端縁部１５と、平板部１４の略中央であって台座部２１と対向する位置に設けられた突起部１６とが一体成形された構造である。
突起部１６は、ターンテーブル２３の移動に伴って光ディスク１を略均等な力で受けるチャック用当接部１６Ａと、このチャック用当接部１６Ａに光ディスク１を案内するガイド部１６Ｂとが一体形成された構造である。
チャック用当接部１６Ａは、所定幅のリング状に形成されており、その中心に回転軸２３Ａの先端部が嵌挿される円形の孔部１６Ｃが形成されている。なお、図では円形リング状にチャック用当接部１６Ａが形成されているが、三角形、四角形、五角形等の多角形で環状にチャック用当接部１６Ａが形成されてもよい。
そして、チャック用当接部１６Ａの突出先端は、揺動支点から揺動先端部にかけて（図３中Ｂ−Ｂ線に沿った方向）天板部材１２の平板部１４からの寸法が小さくなるテーパ面１６Ｄが形成されている（図４Ｂ参照）。
ガイド部１６Ｂは、その先端部に光ディスク１の出し入れ方向（図３中Ａ−Ａ線に沿った方向）にかけてテーパ面が形成されている。このテーパ面は化粧板１３側から孔部１６Ｃにかけて天板部材１２の平板部１４からの寸法が大きくなり、チャック用当接部１６Ａの先端面と連続するように形成されている。
なお、図４Ａ，図４Ｂでは、内容を理解しやすくするために、突起部１６の大きさを誇張して表示しており、台座部２１を模式的に表示している。【００１９】
（光ディスクのチャック動作）
次に、本実施形態における光ディスク１のチャック動作を説明する。
光ディスク１の挿入待機時では、台座部２１の揺動先端がケース本体１１の底面部に近接するように傾斜しており、ターンテーブル２３は突起部１６から最も離反した位置にある。
この状態で、光ディスク１をケース体１０の内部に挿入すると、光ディスク１は搬送手段３０によって所定位置に案内される。ここで、光ディスク１が天板部材１２に当たるように斜めに挿入されたとしても、光ディスク１はガイド部１６Ｂに案内されて天板部材１２と略平行に移動する。【００２０】
光ディスク１が所定位置に案内されたら、駆動部４０が作動して台座部２１が揺動し、その揺動先端が天板部材１２に近接するように傾斜する。すると、台座部２１の揺動に伴ってターンテーブル２３も移動し、ターンテーブル２３の回転軸２３Ａが光ディスク１の軸孔１Ａに係合される。さらに、回転軸２３Ａが移動し続けると、ターンテーブル２３の鍔部２３Ｂと天板部材１２のチャック用当接部１６Ａとで光ディスク１を挟持する状態となり、光ディスク１の軸孔１Ａの周縁部をチャック用当接部１６Ａが均等な力で受けることになる。すると、光ディスク１の軸孔１Ａに回転軸２３Ａが軸支されることになり、光ディスク１の軸孔１Ａの周縁部が鍔部２３Ｂに適正に載置される。
その後、駆動部４０が作動して台座部２１が逆方向に揺動し、台座部２１がケース本体１１と略平行となる。この状態で、ターンテーブル２３が回転操作され、ターンテーブル２３に載置された光ディスク１の情報が読み出されあるいは情報が記録される。【００２１】
（本実施形態における作用効果）
上述したように、本実施形態では、次の作用効果を奏することができる。
（１）本実施形態のディスク装置は、ケース体１０内において揺動支点を中心に揺動可能に配設された台座部２１を設け、この台座部２１に光ディスク１を回転可能に軸支するターンテーブル２３を設け、ケース体１０は台座部２１と対向する天板部材１２を有し、この天板部材１２は、ターンテーブル２３と対向する部分において台座部２１が天板部材１２側に向けて揺動されて光ディスク１が当接する際に光ディスク１を均等な力で受けるチャック用当接部１６Ａを有する。そのため、揺動した台座部２１に設けられたターンテーブル２３が天板部材１２との間で光ディスク１をチャックする際に、台座部２１が天板部材１２に対して傾いて揺動する場合であっても、光ディスク１の軸孔１Ａの周縁部をチャック用当接部１６Ａが均等な力で受けることになるので、天板部材１２の反力を十分に利用することができ、光ディスク１が確実にチャックされることになる。従って、ターンテーブル２３に載置された光ディスク１が空回りすることがないので、ディスク装置を適正に作動させることができる。【００２２】
（２）チャック用当接部１６Ａは、天板部材１２の台座部２１側に向けて突出された突起部１６であるため、天板部材１２をプレス等の適宜な手段で加工することで、突起部１６を容易に成形することができる。そのため、チャック用当接部１６Ａを成形するコストを低くすることができる。【００２３】
（３）台座部２１は、揺動支点がある基端部側より先端部側が天板部材１２に近接するように天板部材側に向けて揺動可能とされ、突起部１６は揺動支点から揺動端部にかけて天板部材１２の平板部１４からの寸法が小さくなるテーパ面が形成されている。そのため、光ディスク１をチャックする際の台座部２１の傾きに合わせてチャック用当接部１６Ａを形成することで、チャック用当接部１６Ａを容易に成形することができる。さらに、テーパ面全体で光ディスク１の軸孔１Ａの周縁部を受けることが可能となり、天板部材１２の反力を十分に利用して光ディスク１を正しくチャックすることができる。【００２４】
（４）チャック用当接部１６Ａにはターンテーブル２３の先端部が嵌挿される孔部１６Ｃが形成されているから、ケース体１０、ひいては、ディスク装置全体を薄型にすることができる。【００２５】
（５）チャック用当接部１６Ａは孔部１６Ｃを囲んで略リング状に形成されているので、孔部１６Ｃに対応する軸孔１Ａの周囲の広い面積で光ディスク１をチャック用当接部１６Ａで受けることができる。そのため、光ディスク１がチャック用当接部１６Ａに当接する際に、特定の箇所に天板部材１２からの反力が集中することがないので、光ディスク１に傷がつくことがない。【００２６】
（６）突起部１６は天板部材１２に一体に形成されているので、突起部１６をプレス加工等の適宜な手段を用いて容易に成形することができる。【００２７】
（７）チャック用当接部１６Ａに光ディスク１を案内するガイド部１６Ｂが天板部材１２に形成されているので、光ディスク１がケース体１０の内部に傾いて挿入されても、このガイド部１６Ｂが光ディスク１を適正な位置に案内することができる。そのため、光ディスク１を所定位置に収納することが可能となって、光ディスク１のチャック動作を正しく行うことができる。【００２８】
（８）ガイド部１６Ｂがチャック用当接部１６Ａと一体成形されていることで、ガイド部１６Ｂをチャック用当接部１６Ａとともに容易に成形することができる。そのため、ガイド部１６Ｂ等を成形するコストを低くすることができる。【００２９】
〔実施形態の変形〕
なお、本発明は、上述した各実施の形態に限定されるものではなく、本発明の目的を達成できる範囲で以下に示される変形をも含むものである。【００３０】
例えば、前記実施形態では、チャック用当接部１６Ａを、孔部１６Ｃを囲んで略リング状に形成したが、本発明では、この構成に限定されるものではない。
例えば、図５に示される通り、チャック用当接部１１６を孔部１６Ｃの近傍の一部、例えば、台座部２１の先端部側に設けるものであってもよい。
さらに、図６に示される通り、チャック用当接部２１６を、略三角形状の突起としてもよい。なお、図５及び図６で示される変形例においては、ガイド部１６Ｂの図示が省略されている。また、光ディスク１の出し入れ方向と台座部２１の揺動支点から揺動先端部に延びる方向とが同一視で示されているが、これらの方向は実際には異なる。【００３１】
本発明では、ガイド部１６Ｂを必ずしも設けることを要しない。仮に、ガイド部１６Ｂを設けたとしても、チャック用当接部１６Ａと一体に形成されるものに限定されるものではなく、ガイド部１６Ｂを別途成形しておき、天板部材１２に取り付ける構造でもよい。【００３２】
さらに、ディスク状記録媒体を利用するディスク装置について例示したが、上述したように、光ディスク１に限らず、磁気ディスク、光磁気ディスクなどのいずれのディスク状記録媒体を対象とすることができる。
また、読取処理あるいは記録処理の一方のみを処理する構成のものにも適用できる。搬送手段３０としてリンク機構部に限らず、ローラを用いて搬送する構成などいずれのものでも適用できる。
その他、本発明の実施の際の具体的な構造および手順は、本発明の目的を達成できる範囲で他の構造などに適宜変更できる。【００３３】
〔実施の形態の効果〕
上述したように、ディスク装置は、光ディスク１が出し入れされる開口部を形成したケース体１０と、このケース体１０内において揺動支点を中心に揺動可能に配設され光ディスク１を回転可能に軸支するターンテーブル２３が設けられた台座部２１とを備え、ケース体１０は、台座部２１と対向する天板部材１２を有し、この天板部材１２は、ターンテーブル２３と対向する部分において台座部２１が天板部材１２側に向けて揺動されて光ディスク１が当接する際に光ディスク１を略均等な力で受けるチャック用当接部１６Ａを有する。そのため、揺動した台座部２１に設けられたターンテーブル２３が天板部材１２との間で光ディスク１をチャックする際に、光ディスク１の軸孔１Ａの周縁部をチャック用当接部１６Ａが均等な力で受けることになるので、天板部材１２の反力を十分に利用して光ディスク１を確実にチャックすることができる。
【産業上の利用可能性】
【００３４】
本発明は、ディスク状記録媒体が出し入れされる開口部がケース体に形成され、このケース体内において揺動支点を中心に揺動自在に台座部が配設され、この台座部にディスク状記録媒体を回転可能に軸支する軸支部が設けられたディスク装置として利用できる。
【図１Ａ】
2006006483.tif 000002
【図１Ｂ】
2006006483.tif 000003
【図２】
2006006483.tif 000004
【図３】
2006006483.tif 000005
【図４Ａ】
2006006483.tif 000006
【図４Ｂ】
2006006483.tif 000007
【図５】
2006006483.tif 000008
【図６】
2006006483.tif 000009
【手続補正書】
【提出日】平成18年9月4日(2006.9.4)
【手続補正１】
【補正対象書類名】特許請求の範囲
【補正対象項目名】全文
【補正方法】変更
【補正の内容】
【書類名】請求の範囲
【請求項１】  ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、
前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を受けるチャック用当接部を有し、このチャック用当接部は前記台座部の前記揺動支点がある基端部側から先端部側にかけて前記天板部材からの寸法が小さくなるテーパ面が形成され、
前記ディスク状記録媒体は、前記ケース体への挿入排出時には前記天板部材と略平行に移動され、
前記台座部は、前記基端部側より前記先端部側が前記天板部材に近接するように前記天板部材側に向けて揺動可能とされ、前記天板部材との平行位置よりも前記先端部側が前記天板部材と離れた位置から揺動されて前記平行位置より前記天板部材側で前記ディスク状記録媒体をチャックし、前記ディスク状記録媒体をチャックしたまま前記天板部材側と逆方向に揺動されて前記平行位置に戻ることを特徴としたディスク装置。
【請求項２】  請求項１に記載のディスク装置であって、
前記チャック用当接部は、前記天板部材の前記台座部側に向けて突出された突起部であることを特徴としたディスク装置。
【請求項３】（削除）
【請求項４】  ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、この台座部は、前記揺動支点がある基端部側より先端部側が前記天板部材に近接するように前記天板部材側に向けて揺動可能とされ、
前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を受ける突起部を有し、この突起部は前記基端部側から前記先端部側にかけて前記天板部材からの寸法が小さくなるテーパ面が形成されていることを特徴としたディスク装置。
【請求項５】  請求項２から請求項４のいずれかに記載のディスク装置であって、
前記突起部には前記軸支部の先端部が嵌挿される孔部が形成されていることを特徴としたディスク装置。
【請求項６】  請求項５に記載のディスク装置であって、
前記突起部は前記孔部を囲んで略リング状に形成されていることを特徴としたディスク装置。
【請求項７】  請求項５に記載のディスク装置であって、
前記突起部は、前記孔部の近傍であって前記台座部の先端部側に形成されていることを特徴としたディスク装置。
【請求項８】  請求項２に記載のディスク装置であって、
前記突起部は、略三角形状であって、その頂部が前記ディスク状記録媒体と当接可能とされたことを特徴としたディスク装置。
【請求項９】  請求項２から請求項８のいずれかに記載されたディスク装置であって、
前記突起部は前記天板部材に一体に形成されたことを特徴としたディスク装置。
【手続補正２】
【補正対象書類名】明細書
【補正対象項目名】０００３
【補正方法】変更
【補正の内容】
【０００３】
と対向する部分において、前記台座部が前記天板部材側に向けて揺動されて前記ディスク状記録媒体が当接する際に前記ディスク状記録媒体を受けるチャック用当接部を有し、このチャック用当接部は前記台座部の前記揺動支点がある基端部側から先端部側にかけて前記天板部材からの寸法が小さくなるテーパ面が形成され、前記ディスク状記録媒体は、前記ケース体への挿入排出時には前記天板部材と略平行に移動され、前記台座部は、前記基端部側より前記先端部側が前記天板部材に近接するように前記天板部材側に向けて揺動可能とされ、前記天板部材との平行位置よりも前記先端部側が前記天板部材と離れた位置から揺動されて前記平行位置より前記天板部材側で前記ディスク状記録媒体をチャックし、前記ディスク状記録媒体をチャックしたまま前記天板部材側と逆方向に揺動されて前記平行位置に戻ることを特徴とする。
［０００８］  本発明のディスク装置は、ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、この台座部は、前記揺動支点がある基端部側より先端部側が前記天板部材に近接するように前記天板部材側に向けて揺動可能とされ、前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を受ける突起部を有し、この突起部は前記基端部側から前記先端部側にかけて前記天板部材からの寸法が小さくなるテーパ面が形成されていることを特徴とする。
【図面の簡単な説明】
［０００９］［図１Ａ］従来技術に係るディスク装置の待機状態を示す断面図である。
［図１Ｂ］従来技術に係るディスク装置のチャック状態を示す断面図である。
［図２］本発明の一実施形態に係るディスク装置の概略構成を示す一部を切り欠いた平面図である。
［図３］天板部材を裏面側から見た底面図である。
［図４Ａ］図３のＡ−Ａ線断面図である。
［図４Ｂ］図３のＢ−Ｂ線断面図である。
［図５］本発明の変形例を示す断面図である。
［図６］本発明の異なる変形例を示す断面図である。
【符号の説明】
［００１０］      １…光ディスク（ディスク状記録媒体）
１Ａ…軸孔
１０…ケース体
１２…天板部材
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、
前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を受けるチャック用当接部を有し、このチャック用当接部は前記台座部の前記揺動支点がある基端部側から先端部側にかけて前記天板部材からの寸法が小さくなるテーパ面が形成され、
前記ディスク状記録媒体は、前記ケース体への挿入排出時には前記天板部材と略平行に移動され、
前記台座部は、前記基端部側より前記先端部側が前記天板部材に近接するように前記天板部材側に向けて揺動可能とされ、前記天板部材との平行位置よりも前記先端部側が前記天板部材と離れた位置から揺動されて前記平行位置より前記天板部材側で前記ディスク状記録媒体をチャックし、前記ディスク状記録媒体をチャックしたまま前記天板部材側と逆方向に揺動されて前記平行位置に戻ることを特徴としたディスク装置。
【請求項２】
請求項１に記載のディスク装置であって、
前記チャック用当接部は、前記天板部材の前記台座部側に向けて突出された突起部であることを特徴としたディスク装置。
【請求項３】
ディスク状記録媒体が出し入れされる開口部を形成したケース体と、このケース体内において揺動支点を中心に揺動可能に配設され前記ディスク状記録媒体を回転可能に軸支する軸支部が設けられた台座部とを備え、この台座部は、前記揺動支点がある基端部側より先端部側が前記天板部材に近接するように前記天板部材側に向けて揺動可能とされ、
前記ケース体は、前記台座部と対向する天板部材を有し、この天板部材は、前記軸支部と対向する部分において、前記台座部が前記天板部材側に向けて揺動されて前記ディスク状記録媒体が当接する際に前記ディスク状記録媒体を受ける突起部を有し、この突起部は前記基端部側から前記先端部側にかけて前記天板部材からの寸法が小さくなるテーパ面が形成されていることを特徴としたディスク装置。
【請求項４】
請求項２または請求項３に記載のディスク装置であって、
前記突起部には前記軸支部の先端部が嵌挿される孔部が形成されていることを特徴としたディスク装置。
【請求項５】
請求項４に記載のディスク装置であって、
前記突起部は前記孔部を囲んで略リング状に形成されていることを特徴としたディスク装置。
【請求項６】
請求項４に記載のディスク装置であって、
前記突起部は、前記孔部の近傍であって前記台座部の先端部側に形成されていることを特徴としたディスク装置。
【請求項７】
請求項２に記載のディスク装置であって、
前記突起部は、断面略三角形状であって、その頂部が前記ディスク状記録媒体と当接可能とされ、前記テーパ面が、前記突起部の頂部から前記先端部側にかけて前記天板部材からの寸法が小さくなることを特徴としたディスク装置。
【請求項８】
請求項２から請求項７のいずれかに記載されたディスク装置であって、
前記突起部は前記天板部材に一体に形成されたことを特徴としたディスク装置。
【手続補正２】
【補正対象書類名】明細書
【補正対象項目名】００１０
【補正方法】変更
【補正の内容】
【００１０】
【符号の説明】
１…光ディスク（ディスク状記録媒体）
１Ａ…軸孔
１０…ケース体
１２…天板部材
１６…突起部
１６Ａ…チャック用当接部
１６Ｄ…テーパ面
２１…台座部
２３…ターンテーブル（軸支部）
１１６…チャック用当接部
２１６…チャック用当接部
【手続補正３】
【補正対象書類名】明細書
【補正対象項目名】００１５
【補正方法】変更
【補正の内容】
【００１５】
台座部２１は、その他端部、つまり、ディスク回転駆動手段２２が配設された一端側側とは反対側の基端部を揺動支点とし、かつ、ディスク回転駆動手段２２側の一端部を揺動先端としてケース体１０の内部に揺動可能に配置されている。この場合、台座部２１は、その基端部側がケース本体１１の底面部より離れて配置されており、その揺動先端は、光ディスク１が挿入・排出する際の待機時では、ケース本体１１の底面部に近接するように傾斜しており、情報処理部２４の作動時では、ケース本体１１の天板部材１２と略平行となり、光ディスク１を天板部材１２との間でクランプ（チャック）する際には、天板部材１２側に近接するように傾斜している（図４Ａ，図４Ｂ参照）。ここで、揺動とは、台座部２１の基端側を回動中心として固定し、先端側のみを移動させる場合だけでなく、台座部２１の基端側も若干移動し、先端側を移動させる場合も含むものである。
台座部２１を揺動する駆動部４０がケース体１０の内部に設けられている。この駆動部４０は、例えば制御回路部に動作制御される図示しないモータと、このモータの駆動により移動する移動カム４１とを備えている。移動カム４１は、台座部２１に外方に向けて突設された係合爪２１Ｂに係合するとともにモータに係合し、モータの駆動により移動されて台座部２１を揺動させる。
【国際調査報告】
2006006483.tif 000010
2006006483.tif 000011
2006006483.tif 000012